(57)【特許請求の範囲】
【請求項１】
ホゼル部の上端面から突出する上部体と、
該上部体から下方に突設されており、ホゼル穴内に差し込まれる差込部と、
該差込部の外周面に周設された溝と
を有するフェルールにおいて、
該差込部の下端部が、該差込部の該溝の上側よりも小径となっており、
該差込部の該溝よりも下端側が等径の筒状となっていることを特徴とするフェルール。
【請求項２】
ヘッドのホゼル穴に対しシャフトが取り付けられ、請求項１のフェルールが装着されてなるゴルフクラブ。
【請求項３】
請求項２において、該ホゼル穴は、奥側が小径穴部となっており、入口側が大径穴部となっており、該小径穴部と大径穴部との間に段差部が設けられており、
該段差部は、入口側ほど拡径する形状となっていることを特徴とするゴルフクラブ。
【発明の詳細な説明】
【技術分野】
【０００１】
本発明は、ゴルフクラブに用いられるフェルールに係り、特にホゼル穴への差込部の外周面に溝が設けられたフェルールに関する。また、本発明はこのフェルールを用いたゴルフクラブに関する。
【背景技術】
【０００２】
ゴルフクラブのヘッドのホゼル穴にシャフトを挿入して接着剤によって固定したゴルフクラブにあっては、シャフトにフェルールを外嵌させておき、このフェルールをホゼル部の上端面に当接状に配置する。このフェルールには、ホゼル穴の上端部に入り込む差込部が設けられている（特許文献１〜３）。このフェルールを設けることにより、ボールヒット時にシャフトのホゼル穴上端部付近に生じる応力が緩和される。また、このフェルールを設けることにより、ゴルフクラブの美観も向上する。
【０００３】
このフェルールは、接着剤によってホゼル穴に対し固定される。特許文献１，２には、差込部の外周面に溝を設け、ホゼル穴の内周面とフェルールとの間に介在する接着剤の一部を該溝に収容することにより、フェルールのホゼル穴への接着強度を高くすることが記載されている。
【０００４】
ゴルフクラブヘッドのホゼル穴にシャフトを装着するに際しては、シャフトにフェルールを外嵌めしておき、シャフトの先端部に接着剤を塗布し、該シャフトをホゼル穴に挿入し、フェルールの差込部もホゼル穴に差し込む。シャフトに塗布された接着剤の余剰分は、フェルール差込部外周面とホゼル穴内周面との間の隙間に入り込む。差込部に溝を設けてあると、接着剤が溝に収容され、フェルールのホゼル穴への接着強度が高くなる。
【先行技術文献】
【特許文献】
【０００５】
【特許文献１】実用新案登録２５１５８００
【特許文献２】特開２０００−４２１４６
【特許文献３】特開平８−１１７３６４
【発明の概要】
【発明が解決しようとする課題】
【０００６】
本発明は、シャフトに塗布された接着剤がフェルール差込部外周面とホゼル穴内周面との間にスムーズに流入し、フェルールの装着作業が容易となるフェルールと、このフェルールを用いたゴルフクラブとを提供することを目的とする。
【課題を解決するための手段】
【０００７】
本発明のフェルールは、ホゼル部の上端面から突出する上部体と、該上部体から下方に突設されており、ホゼル穴内に差し込まれる差込部と、該差込部の外周面に周設された溝とを有するフェルールにおいて、該差込部の下端部が、該差込部の該溝の上側よりも小径となっており、該差込部の該溝よりも下端側が等径の筒状となっていることを特徴とするものである。
【００１０】
本発明のゴルフクラブは、ヘッドのホゼル穴に対しシャフトが取り付けられ、上記本発明のフェルールが装着されてなるものである。
【００１１】
該ホゼル穴は、奥側が小径穴部となっており、入口側が大径穴部となっており、該小径穴部と大径穴部との間に段差部が設けられており、該段差部は、入口側ほど拡径する形状となっていることが好ましい。
【発明の効果】
【００１２】
本発明のフェルールは、差込部の下端部が溝の上側よりも小径となっているので、シャフトをホゼル穴に挿入する際に接着剤の余剰分が差込部の下端部外周面とホゼル穴内周面との間に流入し易い。そのため、フェルールの装着作業が容易となる。また、接着剤が差込部外周面とホゼル穴内周面との間に万遍なく流入するようになり、差込部周方向の接着強度分布が均一になる。なお、差込部に溝を設けてあるので、フェルールとホゼル穴内周面との接着強度も高いものとなる。
【００１３】
本発明のゴルフクラブにおいて、ホゼル穴の大径穴部と小径穴部との段差部を入口側（上側）ほど拡径する形状とすることにより、上記の接着剤余剰分が上方に向って流れ易くなる。
【図面の簡単な説明】
【００１４】
【図１】第１の実施の形態に係るフェルールを備えたゴルフクラブのホゼル部の断面図である。
【図２】図１の分解図である。
【図３】第２の実施の形態に係るフェルールの断面図である。
【図４】第３の実施の形態に係るフェルールの断面図である。
【発明を実施するための形態】
【００１５】
以下、図１，２を参照して第１の実施の形態について説明する。
【００１６】
ゴルフクラブのヘッドのホゼル部１のホゼル穴２に対しシャフト３が挿入され、接着剤４によって接着されている。シャフト３にはセルロイドなどよりなるフェルール１０が外嵌され、このフェルール１０も接着剤４によってホゼル部１に接着されている。ホゼル穴２は、奥側の小径穴部２ａと、入口側の大径穴部２ｂと、両者の間の段差部２ｃとからなる。段差部２ｃは、内周縁が円弧形断面形状であり、上方ほど大径となっている。
【００１７】
フェルール１０は、図２の通り、上部体１１と、該上部体１１の下端から求心方向に縮径する縮径面１２と、上部体１１から下方に突設された差込部１３と、該差込部１３の外周面に周設された溝１４と、フェルール１０の軸心部を貫通するシャフト挿通孔１５とを有する。上部体１１は、上方ほど縮径する略円錐台形状である。上部体１１の下端の直径は、ホゼル部１の上端の直径よりも若干大きいものとなっている。縮径面１２は、中心側ほど上位となるテーパ状である。
【００１８】
差込部１３の外周面は、該溝１４よりも上側が縮径面１２の内周端に連なる上部外周面１３ａとなっており、溝１４よりも下側が下部外周面１３ｂとなっている。上部外周面１３ａ及び下部外周面１３ｂはいずれも円筒形である。下部外周面１３ｂの直径ｄは上部外周面１３ａの直径Ｄよりも０．１〜０．５ｍｍ特に０．２〜０．３ｍｍ程度小さい。
【００１９】
シャフト３及びフェルール１０をホゼル部１に装着するには、まずフェルール１０をシャフト３に外嵌させた後、シャフト３の先端側に接着剤４を塗布し、該シャフト３をホゼル穴２に差し込む。シャフト３をホゼル穴２の小径穴部２ａに差し込むと、余剰の接着剤４は大径穴部２ｂ側に移動する。大径穴部２ｂにフェルール１０の差込部１３が挿入されてくると、この接着剤４の余剰分は、差込部１３の外周面と大径穴部２ｂとの間に流入し、その一部は溝１４に入り込む。フェルール１０の縮径面１２がホゼル部１の上端面に当接するまで、差込部１３をホゼル穴２に挿入する。接着剤余剰分の一部は、縮径面１２とホゼル部１の上端面との間に入り込むこともある。その後、接着剤を硬化させ、シャフト３及びフェルール１０をホゼル部１に接着固定する。
【００２０】
その後、フェルール１０の外周面を研削し、フェルール１０の外周面とホゼル部１の外周面とを連続させる。なお、必要に応じ、フェルール１０の外周面に溶剤を塗布し、フェルール１０の外周面を平滑化する。
【００２１】
このフェルール１０にあっては、下部外周面１３ｂが上部外周面１３ａよりも小径であり、下部外周面１３ｂとホゼル穴２の大径穴部２ｂの内周面との間の隙間が比較的広くなっているので、小径穴部２ａ側から上昇してきた接着剤４がスムーズに下部外周面１３ｂと大径穴部２ｂの内周面との間に流入する。特に、この実施の形態においては、段差部２ｃの内周縁が円弧形断面形状となっているので、小径穴部２ａ側から上昇してきた接着剤４が段差部２ｃと差込部１３の下端外周縁との間をスムーズに通過する。このため、シャフト３及びフェルール１０の装着作業性が良好となる。
【００２２】
また、小径穴部２ａ側から上昇してきた接着剤余剰分が、差込部１３と大径穴部２ｂの内周面との間に対し、周方向に均等に流れ込むので、接着強度が周方向において均一となる。なお、溝１４に十分な量の接着剤４が収容されるので、差込部１３とホゼル部１との接着強度も高いものとなる。
【００２３】
図３，４を参照して第２、第３の実施の形態に係るフェルール１０Ａ，１０Ｂについて説明する。
【００２４】
図３のフェルール１０Ａは、差込部１３の下部外周面１３ｂの直径を上部外周面１３ａの直径と同一としているが、下部外周面１３ｂの下端縁に面落し状のテーパ部１３ｃを設けている。このテーパ部１３ｃを設けたことにより、小径穴部２ａ側から上昇してくる接着剤余剰分がスムーズに上方へ流れる。
【００２５】
図４のフェルール１０Ｂは、差込部１３の上部外周面１３ａ及び下部外周面１３ｂをテーパ角θのテーパ面とし、下方ほど小径となるように構成している。このように差込部１３を、溝１４を除いて、先細状のテーパ形状とすることにより、小径穴部２ａ側から上昇してくる接着剤余剰分がスムーズに上方へ流れる。
【００２６】
上記実施の形態はいずれも本発明の一例であり、本発明は図示以外の構成とされてもよい。例えば、図３のフェルール１０Ａにおいて、下部外周面１３ｂの全体を先細状のテーパ面としてもよい。
【００２７】
本発明では、溝１４を２条以上設けてもよい。本発明では、フェルールの一部を金属製としてもよい。
【符号の説明】
【００２８】
１  ホゼル部
２  ホゼル穴
２ａ  小径穴部
２ｂ  大径穴部
３  シャフト
４  接着剤
１０，１０Ａ，１０Ｂ  フェルール
１１  上部体
１２  縮径面
１３  差込部
１４  溝
１５  シャフト挿通孔
【図１】
0005974464.tif 000002
【図２】
0005974464.tif 000003
【図３】
0005974464.tif 000004
【図４】
0005974464.tif 000005